(57)【要約】【課題】乗客を乗せた踏段が降口から所定の距離だけ進行方向後方に位置することを乗客により確実に報知することができる乗客コンベヤを得る。【解決手段】乗口１と降口２との間を循環移動する複数の踏段３と、踏段３を案内するガイドレール５と、降口２から所定の距離だけ進行方向後方に位置する踏段３を振動させる凹凸部６とを備え、踏段３は、踏段本体３１と、踏段本体３１に設けられた駆動ローラ３２および従動ローラ３３とを有し、ガイドレール５は、駆動ローラ３２を案内する駆動レール５１と、従動ローラ３３を案内する従動レール５２とを有し、凹凸部６は、従動レール５２の中で降口２から所定の距離だけ進行方向後方に位置する部分の上面に設けられている。【選択図】図１
2013237563.tif 000002
【特許請求の範囲】
【請求項１】
乗口と降口との間を循環移動する複数の踏段と、
降口から所定の距離だけ進行方向後方に位置する前記踏段を振動させる振動装置と
を備えたことを特徴とする乗客コンベヤ。
【請求項２】
前記振動装置は、前記踏段を案内するガイドレールに設けられ前記降口から所定の距離だけ進行方向後方に位置する前記踏段のローラが転動する凹凸部を有していることを特徴とする請求項１に記載の乗客コンベヤ。
【請求項３】
前記振動装置は、前記降口から所定の距離だけ進行方向後方に位置する前記踏段に向かって低周波の音波を発する重低音発生装置を有し、前記重低音発生装置が前記低周波の音波を発することにより、前記降口から所定の距離だけ進行方向後方に位置する前記踏段を振動させることを特徴とする請求項１に記載の乗客コンベヤ。
【請求項４】
前記降口から所定の距離だけ進行方向後方における乗客を検出する乗客検出装置をさらに備え、
前記振動装置は、前記乗客検出装置の検出結果に基づいて、前記降口から所定の距離だけ進行方向後方に位置する前記踏段を振動させることを特徴とする請求項３に記載の乗客コンベヤ。
【発明の詳細な説明】
【技術分野】
【０００１】
この発明は、乗客を乗せた踏段が降口から所定の距離だけ進行方向後方に位置することを乗客に報知する乗客コンベヤに関する。
【背景技術】
【０００２】
従来、乗口と降口との間を循環移動する複数の踏段と、踏段と同期して循環移動する移動手摺と、移動手摺を案内するガイドレールと、降口から所定の距離だけ進行方向後方に位置するガイドレールの部分に設けられたローラとを備えたエスカレータが知られている。ローラは、降口から所定の距離だけ進行方向後方に位置する移動手摺の部分を上方に押圧して変形させる。これにより、移動手摺を把持する乗客に対して、乗客を乗せた踏段が降口から所定の距離だけ進行方向後方に位置することを乗客に報知することができ、乗客が降口の櫛板に躓くことを抑制することができる（例えば、特許文献１参照）。
【先行技術文献】
【特許文献】
【０００３】
【特許文献１】特開平８−６７４８８号公報
【発明の概要】
【発明が解決しようとする課題】
【０００４】
しかしながら、乗客が移動手摺を把持していない場合には、乗客を乗せた踏段が降口から所定の距離だけ進行方向後方に位置することを乗客に報知することができないという問題点があった。
【０００５】
この発明は、乗客を乗せた踏段が降口から所定の距離だけ進行方向後方に位置することを乗客により確実に報知することができる乗客コンベヤを提供するものである。
【課題を解決するための手段】
【０００６】
この発明に係る乗客コンベヤは、乗口と降口との間を循環移動する複数の踏段と、降口から所定の距離だけ進行方向後方に位置する前記踏段を振動させる振動装置とを備えている。
【発明の効果】
【０００７】
この発明に係る乗客コンベヤによれば、乗口と降口との間を循環移動する複数の踏段と、降口から所定の距離だけ進行方向後方に位置する踏段を振動させる振動装置とを備えているので、乗客を乗せた踏段が降口から所定の距離だけ進行方向後方に位置する場合には、その乗客が移動手摺を把持していない場合であっても、乗客を乗せた踏段が降口から所定の距離だけ進行方向後方に位置することを乗客に報知することができる。その結果、乗客を乗せた踏段が降口から所定の距離だけ進行方向後方に位置することを乗客により確実に報知することができる。
【図面の簡単な説明】
【０００８】
【図１】この発明の実施の形態１に係るエスカレータを示す側面図である。
【発明を実施するための形態】
【０００９】
実施の形態１．
図１はこの発明の実施の形態１に係るエスカレータを示す側面図である。この例では、上昇運転を行うエスカレータ（乗客コンベヤ）について説明する。図において、エスカレータは、乗口１と降口２との間を循環移動する複数の踏段３と、踏段３と同期して循環移動する移動手摺４と、踏段３を案内するガイドレール５とを備えている。
【００１０】
各踏段３は、乗客を乗せる踏段本体３１と、踏段本体３１の上階側に設けられた駆動ローラ３２と、踏段本体３１の下階側に設けられた従動ローラ３３とを有している。隣り合う踏段３の各駆動ローラ３２は、駆動ローラ３２の回転軸に取り付けられた駆動チェーン（図示せず）を介して、連結されている。駆動チェーンが循環移動することにより、踏段３が循環移動する。
【００１１】
ガイドレール５は、駆動ローラ３２を案内する駆動レール５１と、従動ローラ３３を案内する従動レール５２とを有している。踏段３は、駆動ローラ３２が駆動レール５１の上面を転動し、従動ローラ３３が従動レール５２の上面を転動することにより、循環移動する。
【００１２】
従動レール５２の降口２から所定の距離だけ進行方向後方に位置する部分の上面には、凹凸部（振動装置）６が設けられている。従動ローラ３３は、踏段３が降口２から所定の距離だけ進行方向後方の位置を通過する際に、凹凸部６を転動する。これにより、降口２から所定の距離だけ進行方向後方に位置する踏段３が振動する。ここで、降口２から凹凸部６までの距離である所定の距離としては、踏段３が振動してから乗客が降口２に気付くまでに踏段３が移動する距離が設定されている。
【００１３】
次に、エスカレータの動作について説明する。乗客が乗口１で踏段３に乗ると、踏段３の循環移動により乗客は上階に向かって移動する。乗客を乗せた踏段３が降口２から所定の距離だけ進行方向後方の位置に達すると、乗客を乗せた踏段３の従動ローラ３３が凹凸部６を転動して、その踏段３が振動する。これにより、降口２から所定の距離だけ進行方向後方の位置に達した乗客に対して、乗客を乗せた踏段３が降口２から所定の距離だけ進行方向後方に位置することを報知することができる。
【００１４】
以上説明したように、この発明の実施の形態１に係る乗客コンベヤによれば、乗口１と降口２との間を循環移動する複数の踏段３と、降口２から所定の距離だけ進行方向後方に位置する踏段３を振動させる凹凸部６とを備えているので、乗客を乗せた踏段３が降口２から所定の距離だけ進行方向後方に位置する場合には、その乗客が移動手摺４を把持していない場合であっても、乗客を乗せた踏段３が降口２から所定の距離だけ進行方向後方に位置することを乗客に報知することができる。その結果、乗客を乗せた踏段３が降口２から所定の距離だけ進行方向後方に位置することを乗客により確実に報知することができ、乗客が降口２の櫛板に躓くことを抑制することができる。
【００１５】
また、振動装置は、踏段３を案内する従動レール５２に設けられ降口２から所定の距離だけ進行方向後方に位置する踏段３の従動ローラ３３が転動する凹凸部６を有しているので、簡単な構成で、降口２から所定の距離だけ進行方向後方に位置する踏段３を振動させることができる。
【００１６】
なお、上記実施の形態１では、振動装置が凹凸部６を有している構成について説明したが、振動装置は、降口２から所定の距離だけ進行方向後方に位置する踏段３に向かって低周波の音波を発する重低音発生装置を有し、重低音発生装置が低周波の音波を発することにより、降口２から所定の距離だけ進行方向後方に位置する踏段３を振動させる構成であってもよい。この場合、エスカレータは、降口２から所定の距離だけ進行方向後方に位置する乗客を検出する乗客検出装置をさらに備え、振動装置は、降口２から所定の距離だけ進行方向後方の位置に乗客がいると検出する場合に、降口２から所定の距離だけ進行方向後方に位置する踏段３を振動させる構成であってもよい。乗客検出装置としては、例えば、降口２から所定の距離だけ進行方向後方を撮影するカメラ、降口２から所定の距離だけ進行方向後方に発生する音声を取得するマイクまたは降口２から所定の距離だけ進行方向後方に設けられた光センサ等を有し、降口２から所定の距離だけ進行方向後方に位置する乗客の有無を判定する乗客検出装置が挙げられる。
【００１７】
また、上記実施の形態１では、従動レール５２に凹凸部６が設けられる構成について説明したが、駆動レール５１に凹凸部６が設けられる構成であってもよい。
【００１８】
また、上記実施の形態１では、乗客コンベヤとして、エスカレータを例に説明したが、これに限らず、動く歩道であってもよい。
【符号の説明】
【００１９】
１  乗口、２  降口、３  踏段、４  移動手摺、５  ガイドレール、６  凹凸部（振動装置）、３１  踏段本体、３２  駆動ローラ、３３  従動ローラ、５１  駆動レール、５２  従動レール。
【図１】
2013237563.tif 000003